(57)【要約】【課題】複数個の容器を効率的に配設することができると共に、構造が簡単で携帯にも便利な釣り餌容器取付け装置を提供する。【解決手段】枕木４１に取付けられる万力１０と、万力１０に連結部材２０を介して垂直に固定される円筒状の容器保持ポール１と、容器保持ポール１に上下動及び回転自在に嵌挿され、任意の位置に固定される容器取付け具２Ａ、２Ｂ、２Ｃとを有し、容器取付け具２Ａ、２Ｂ、２Ｃには、釣り餌を入れる容器３０Ａ、３０Ｂ、３０Ｃに設けられた係合部材３１の係合穴３１ａが挿入される突出部２ａが形成されている。【選択図】      図１
2007282541.tif 000002
【特許請求の範囲】
【請求項１】
枕木等の被取付け部材に取付けられる万力と、この万力に連結部材を介して垂直に固定される円筒状の容器保持ポールと、この容器保持ポールに上下動及び回転自在に嵌挿され、任意の位置に固定される容器取付け具とを有し、前記容器取付け具には、釣り餌を入れる容器に設けられた係合部材が着脱自在に取付けられる係合部が形成されていることを特徴とする釣り餌容器取付け装置。
【請求項２】
前記容器取付け具の係合部と前記容器の係合部材の係合部とは、一方に係合穴が形成され、他方に前記係合穴に挿入される突出部が形成されていることを特徴とする請求項１記載の釣り餌容器取付け装置。
【請求項３】
前記万力と前記連結部材は、前記万力のねじ部材の軸心方向と平行方向に移動可能に連結されていることを特徴とする請求項１記載の釣り餌容器取付け装置。
【請求項４】
前記万力は、該万力のねじ部材の軸心方向が水平又は垂直になるように前記連結部材に固定できる構造となっていることを特徴とする請求項１記載の釣り餌容器取付け装置。
【発明の詳細な説明】
【技術分野】
【０００１】
本発明は、釣り餌等の容器を取付ける釣り餌容器取付け装置に関する。
【背景技術】
【０００２】
釣り時においては、ばらけ餌や喰わせ餌をそれぞれ容器に入れて使用する。また指を洗うためのフィンガー容器、小物を入れるための容器等も用いることがある。
一方、釣り用小物類載置台として、例えば特許文献１及び２が挙げられる。これらの釣り用小物類載置台は、釣り人が腰掛けたり、座ったり、あぐらをかいたりして座る釣り台の端部に設けられた枕木（横棒材）に万力を用いて取付けられる。
【０００３】
【特許文献１】実開平５−３７０７７号公報
【特許文献２】特開平１１−７５６５６号公報
【発明の開示】
【発明が解決しようとする課題】
【０００４】
特許文献１及び２の小物類載置台を容器の載置台として使用すると、複数個の容器を平面的に置くことになり、載置台が大型化すると共に高価になる。そこで一般に、餌等の容器は、釣り人の周りに平面的に置いて使用している。このため、釣り人の周りに多くの使用面積を必要とすると共に、使用上において非常に不便であった。
【０００５】
本発明の課題は、複数個の容器を効率的に配設することができると共に、構造が簡単で携帯にも便利な釣り餌容器取付け装置を提供することにある。
【課題を解決するための手段】
【０００６】
上記課題を解決するための本発明の請求項１は、枕木等の被取付け部材に取付けられる万力と、この万力に連結部材を介して垂直に固定される円筒状の容器保持ポールと、この容器保持ポールに上下動及び回転自在に嵌挿され、任意の位置に固定される容器取付け具とを有し、前記容器取付け具には、釣り餌を入れる容器に設けられた係合部材が着脱自在に取付けられる係合部が形成されていることを特徴とする。
【０００７】
上記課題を解決するための本発明の請求項２は、上記請求項１において、前記容器取付け具の係合部と前記容器の係合部材の係合部とは、一方に係合穴が形成され、他方に前記係合穴に挿入される突出部が形成されていることを特徴とする。
【０００８】
上記課題を解決するための本発明の請求項３は、上記請求項１において、前記万力と前記連結部材は、前記万力のねじ部材の軸心方向と平行方向に移動可能に連結されていることを特徴とする。
【０００９】
上記課題を解決するための本発明の請求項４は、上記請求項１において、前記万力は、該万力のねじ部材の軸心方向が水平又は垂直になるように前記連結部材に固定できる構造となっていることを特徴とする。
【発明の効果】
【００１０】
垂直に配設された容器保持ポールに取付けた容器取付け具に容器を取付けることにより、複数個の容器を立体的で、かつ容器保持ポールの周囲に効率的に配設することができるので、設置場所が少ない面積で済むと共に使用勝手が良くなる。容器保持ポール、この容器保持ポールに取付けた容器取付け具、容器保持ポールの下端に取付けられた連結部材及び万力の少ない部品よりなり、また構造が簡単であり、更に小型で携帯にも便利である。
【発明を実施するための最良の形態】
【００１１】
本発明の釣り餌容器取付け装置の一実施の形態を図１乃至図５により説明する。図１乃至図３に示すように、円筒状の容器保持ポール１には、複数個（実施の形態は３個）の容器取付け具２Ａ、２Ｂ、２Ｃが上下動及び回転自在に嵌挿されており、容器取付け具２Ａ、２Ｂ、２Ｃは、ねじ３により任意の位置に固定することができる。容器取付け具２Ａ、２Ｂ、２Ｃには、後記する容器３０Ａ、３０Ｂ、３０Ｃ（図４及び図５参照）を取付ける係合突出部２ａが上方に突出して設けられ、係合突出部２ａに対応した下面には、容器３０Ａ、３０Ｂ、３０Ｃの下面部又は側面を受ける受け部２ｂが前方に突出して設けられている。
【００１２】
容器保持ポール１の上端には、上方キャップ５が固定されており、上方キャップ５には、ねじ部が上方に突出するようにボルト６が固定されている。ボルト６のねじ部には押さえ具７が螺合されている。
【００１３】
容器保持ポール１の下端には、後記する連結部材２０を介して周知構造よりなる万力１０が着脱自在に設けられている。万力１０は、Ｕ字形をした本体１１と、本体１１の端部の内側面に形成された受け部１２と、この受け部１２に対向して本体１１の他端部に螺合されたねじ部材１３とからなっている。ねじ部材１３には、受け部１２に対応した一端部に押圧部１４が回転自在に設けられ、他端部に操作レバー１５が設けられている。本実施の形態においては、本体１１にはねじ部材１３と平行に長溝穴１６が形成されている。
【００１４】
連結部材２０は次のような構造となっている。容器保持ポール１の下端部には、雌ねじが形成された下方キャップ２１が固定されている。下方キャップ２１の下端には、第１連結板２２が配設されており、第１連結板２２は、固定部２２ａと、この固定部２２ａに直角で下方に伸びた万力支持部２２ｂとからなっている。固定部２２ａには、ねじ部が外側に突出するようにボルト２３の頭部が固定されている。そこで、ボルト２３を下方キャップ２１のねじ部に螺合させることにより、容器保持ポール１は第１連結板２２に固定される。
【００１５】
第１連結板２２の固定部２２ａの下方には、第２連結板２４が配設されており、第２連結板２４は、第１連結板２２の万力支持部２２ｂに直角で下方に伸びた固定部２４ａと、第１連結板２２の万力支持部２２ｂに対向して下方に伸びた万力支持部２４ｂとからなっている。第１連結板２２の万力支持部２２ｂには、ボルト２５が挿入されるボルト挿入穴が形成され、第２連結板２４の万力支持部２４ｂには、ボルト２５が螺合されるねじ部が形成されている。そこで、万力支持部２２ｂと２４ｂ間に万力１０の本体１１部を配設し、ボルト２５を万力支持部２２ｂのボルト挿入穴、万力１０の長溝穴１６を通して万力支持部２４ｂのねじ部に螺合させることにより、万力１０は第１連結板２２に支持される。
【００１６】
図５に示すように、容器３０Ａ、３０Ｂ、３０Ｃの側面には、図１に示す容器取付け具２Ａ、２Ｂ、２Ｃの係合突出部２ａに挿入される係合穴３１ａが形成された係合部材３１が固定されている。なお、係合突出部２ａと係合穴３１ａは雄と雌との関係であるので、容器取付け具２Ａ、２Ｂ、２Ｃに係合穴を形成し、係合部材３１に容器取付け具２Ａ、２Ｂ、２Ｃの係合穴に挿入される係合突出部を形成しても良い。
【００１７】
次に釣り餌容器取付け装置の使用方法を図４及び図５を参照しながら説明する。図５に示す釣り台４０の端部に設けられた枕木４１の両側に万力１０の受け部１２と押圧部１４を対向して配設し、操作レバー１５を回して万力１０を枕木４１に固定する。容器取付け具２Ａ、２Ｂ、２Ｃには、全て同じ大きさの容器３０Ａ、３０Ｂ、３０Ｃを取付けてもよいが、大きさの異なる容器３０Ａ、３０Ｂ、３０Ｃを使用する場合には、下方の容器取付け具２Ａに大きな容器３０Ａを取付ける。本実施の形態は最下方の容器取付け具２Ａに大きな容器３０Ａを取付け、容器取付け具２Ｂ、２Ｃには同じ大きさの容器３０Ｂ、３０Ｃを取付けた場合を示す。
【００１８】
容器３０Ａ、３０Ｂ、３０Ｃの容器取付け具２Ａ、２Ｂ、２Ｃへの取付けは、容器３０Ａ、３０Ｂ、３０Ｃの係合部材３１の係合穴３１ａを容器取付け具２Ａ、２Ｂ、２Ｃの係合突出部２ａに挿入することにより取付けることができるので、取付け及び取外しは容易である。容器３０Ａ、３０Ｂ、３０Ｃを容器取付け具２Ａ、２Ｂ、２Ｃに取付けた後、ねじ３を緩めて容器取付け具２Ａ、２Ｂ、２Ｃを上下動及び回動させて容器３０Ａ、３０Ｂ、３０Ｃを使用し易い位置にセットしてねじ３を締め付ける。これにより、例えば容器３０Ａはばらけ餌入れ、容器３０Ｂは喰わせ餌入れ、容器３０Ｃには水を入れてフィンガー用として使用する。
【００１９】
このように、垂直に配設された容器保持ポール１に複数個の容器３０Ａ、３０Ｂ、３０Ｃを立体的で、かつ容器保持ポール１の周囲に効率的に配設することができるので、設置場所が少ない面積で済むと共に使用勝手が良くなる。また容器保持ポール１、この容器保持ポール１に取付けた容器取付け具２Ａ、２Ｂ、２Ｃ、容器保持ポール１の下端に取付けられた連結部材２０及び万力１０の少ない部品よりなり、また構造が簡単であり、更に小型で携帯にも便利である。また押さえ具７は上方キャップ５に設けられたボルト６に螺合されているので、押さえ具７を緩めて上昇させ、上方キャップ５と押さえ具７間に隙間を作り、その隙間に小物やハンカチ等を挟んで保持させることもできる。また本実施の形態のように、万力１０に長溝穴１６を設け、この長溝穴１６にボルト２５のねじ部を挿入することにより、ボルト２５のねじ部がガイド部材となるので、ボルト２５を緩めて容器保持ポール１を前後させることにより、容器保持ポール１の前後位置を調整することができる。
【００２０】
ところで、釣り台４０に枕木４１が設けられていなく、万力１０を横方向に配設できなく、縦方向に配設しなければならない場合がある。本実施の形態は、このような場合にも適用できるようになっている。即ち、第２連結板２４の固定部２４ａには、ねじ部が外側に突出するようにボルト２６の頭部が固定されている。そこで、図１乃至図５の状態より、第１連結板２２又は容器保持ポール１を回してボルト２３を下方キャップ２１のねじ部より離す。そして、下方キャップ２１のねじ部をボルト２６に螺合させる。これにより、万力１０は図６に示すように縦方向に配設されるので、万力１０の受け部１２と押圧部１４で取付けブロック等（例えば釣り台４０）を上下より挟んで固定することができる。
【００２１】
なお、上記実施の形態においては、容器保持ポール１に３個の容器取付け具２Ａ、２Ｂ、２Ｃを設けた場合について説明したが、容器取付け具２Ａ、２Ｂ、２Ｃを取付ける個数は特に限定されないことは言うまでもない。また万力１０は、連結部材２０を容器保持ポール１より取り外して万力１０の取付け姿勢を変える構造としたが、万力１０を容器保持ポール１より取り外すない構造、例えば容器保持ポール１に対して万力１０を９０度回転できるように万力１０を容器保持ポール１に取付けてもよい。
【図面の簡単な説明】
【００２２】
【図１】本発明の釣り餌容器取付け装置の一実施の形態を示し、（ａ）は正面図、（ｂ）は右側面図である。
【図２】図１（ａ）のＡ−Ａ線断面図である。
【図３】図１（ｂ）のＢ−Ｂ線断面図である。
【図４】本発明の釣り餌容器取付け装置の一実施の形態を示す斜視図である。
【図５】本発明の釣り餌容器取付け装置の使用状態を示す一部断面正面図である。
【図６】本発明の釣り餌容器取付け装置の他の使用状態を示す正面図である。
【符号の説明】
【００２３】
１    容器保持ポール
２Ａ、２Ｂ、２Ｃ    容器取付け具
２ａ    係合突出部
５    上方キャップ
６    ボルト
７    押さえ具
１０    万力
１１    本体
１３    ねじ部材
１６    長溝穴
２０    連結部材
２１    下方キャップ
２２    第１連結板
２３    ボルト
２４    第２連結板
２５、２６    ボルト
３０Ａ、３０Ｂ、３０Ｃ    容器
３１    係合部材
３１ａ    係合穴
４０    釣り台
４１    枕木
【図１】
2007282541.tif 000003
【図２】
2007282541.tif 000004
【図３】
2007282541.tif 000005
【図４】
2007282541.tif 000006
【図５】
2007282541.tif 000007
【図６】
2007282541.tif 000008